(57)【要約】【課題】有料コンテンツの配信を希望する利用者が少数であっても、配信を強く望む利用者にはその有料コンテンツの配信を確実に実現する手段を付与して、利用者に対するサービス向上を図ること。【解決手段】コンテンツ配信管理装置１２の配信申込受付部１２４ｃが、利用者端末装置１０ａ〜１０ｃから番組コンテンツの配信申込みを申込口数の情報とともに受け付け、配信判定部１２４ｄが、受け付けた申込口数の合計が番組コンテンツごとに定められた配信可能最少口数に達した場合に、その番組コンテンツを配信することを決定する。【選択図】        図１
2005064967.tif 000002
【特許請求の範囲】
【請求項１】
有料コンテンツの利用者への配信を管理するコンテンツ配信管理プログラムであって、
各利用者による有料コンテンツの配信申込を単数または複数口受け付ける配信申込受付手順と、
前記配信申込受付手順により受け付けられた申込口数が所定の口数に達したかどうかを調べることにより番組を配信するかどうかを判定する配信判定手順と、
をコンピュータに実行させることを特徴とするコンテンツ配信管理プログラム。
【請求項２】
前記配信申込受付手順により受け付けられた申込口数に基づいて、各利用者に課する有料コンテンツの配信料金を決定する配信料金決定手順をさらに含んだことを特徴とする請求項１に記載のコンテンツ配信管理プログラム。
【請求項３】
前記配信料金決定手順は、資金提供の申込を受け付けた場合に、該資金の提供金額に基づいて前記配信料金を減額または無料にすることを特徴とする請求項２に記載のコンテンツ配信管理プログラム。
【請求項４】
資金提供の申込を受け付ける場合に、前記配信申込受付手順により有料コンテンツの配信申込を受け付けた利用者に係る情報を出力する利用者情報出力手順をさらに含んだことを特徴とする請求項３に記載のコンテンツ配信管理プログラム。
【請求項５】
前記配信申込受付手順により配信申込を受け付ける有料コンテンツの追加希望を利用者から受け付けるコンテンツ追加受付手順をさらに含み、前記コンテンツ追加受付手順により受け付けられた有料コンテンツが追加された場合に、前記配信判定手順により該有料コンテンツの配信申込を利用者から受け付けることを特徴とする請求項１〜４のいずれか一つに記載のコンテンツ配信管理プログラム。
【発明の詳細な説明】
【技術分野】
【０００１】
この発明は、有料コンテンツの利用者への配信を管理するコンテンツ配信管理プログラムに関し、特に、有料コンテンツの配信を希望する利用者が少数であっても、配信を強く望む利用者にはその有料コンテンツの配信を確実に実現する手段を付与して、利用者に対するサービス向上を図ることができるコンテンツ配信管理プログラムに関するものである。
【背景技術】
【０００２】
従来、ケーブルテレビや衛星放送などの放送局が、契約を交わした利用者に番組を配信する番組配信サービスが知られている。利用者は、番組ごとにあらかじめ設定された料金を支払うか、あるいは月ぎめの固定料金を支払うことにより、番組コンテンツを受信して視聴することができる。
【０００３】
このような番組配信サービスを提供する放送局には、できるだけ利益を上げたいという欲求があり、一方、番組を視聴する利用者には、できるだけ安く番組を視聴したいという欲求がある。そのため、放送局と利用者との欲求をバランスよく満足させる番組放送システムが特許文献１に開示されている。
【０００４】
この番組放送システムでは、利用者の人気度に基づいて番組編成をおこない、各利用者の満足度に応じて視聴料金を課金する。すなわち、放送局は、人気度の高い番組を放送することにより多数の利用者を獲得して利益を確保することができる。また、利用者は、各自の満足度に見合った金額のみを支払えばよいことになる。
【０００５】
【特許文献１】特開２０００−１５６８５１号公報
【発明の開示】
【発明が解決しようとする課題】
【０００６】
しかしながら、上記特許文献１の従来技術に示される番組放送システムでは、人気度の高い番組から優先的に放送されるので、利用者がある番組を視聴したいと強く希望しても、希望通りに番組が放送されるとは限らないという問題があった。すなわち、他の番組との人気度の相対的な高低により、番組が放送される順番が決まるので、利用者が希望する番組を確実に視聴できる保証がないという問題があった。
【０００７】
そこで、人気度が高い番組でなくとも、番組を是非視聴したいという利用者の要望に応えることができる番組配信サービスをいかに実現し、利用者に対するサービス向上を図るかが重要な問題となる。
【０００８】
この発明は、上述した従来技術による問題点を解消するためになされたものであり、有料コンテンツの配信を希望する利用者が少数であっても、配信を強く望む利用者にはその有料コンテンツの配信を確実に実現する手段を付与して、利用者に対するサービス向上を図ることができるコンテンツ配信管理プログラムを提供することを目的とする。
【課題を解決するための手段】
【０００９】
上述した課題を解決し、目的を達成するため、本発明は、有料コンテンツの利用者への配信を管理するコンテンツ配信管理プログラムであって、各利用者による有料コンテンツの配信申込を単数または複数口受け付ける配信申込受付手順と、前記配信申込受付手順により受け付けられた申込口数が所定の口数に達したかどうかを調べることにより番組を配信するかどうかを判定する配信判定手順と、をコンピュータに実行させることを特徴とする。
【００１０】
この発明によれば、各利用者による有料コンテンツの配信申込を単数または複数口受け付け、受け付けられた申込口数が所定の口数に達したかどうかを調べることにより番組を配信するかどうかを判定する。
【００１１】
また、本発明は、前記配信申込受付手順により受け付けられた申込口数に基づいて、各利用者に課する有料コンテンツの配信料金を決定する配信料金決定手順をさらに含んだことを特徴とする。
【００１２】
この発明によれば、受け付けられた申込口数に基づいて、各利用者に課する有料コンテンツの配信料金を決定する。
【００１３】
また、本発明は、前記配信料金は、有料コンテンツごとにあらかじめ定められた金額を申込口数で等分した金額とすることを特徴とする。
【００１４】
この発明によれば、配信料金は、有料コンテンツごとにあらかじめ定められた金額を申込口数で等分した金額とする。
【００１５】
また、本発明は、前記配信料金決定手順は、資金提供の申込を受け付けた場合に、該資金の提供金額に基づいて前記配信料金を減額または無料にすることを特徴とする。
【００１６】
この発明によれば、資金提供の申込を受け付けた場合に、資金の提供金額に基づいて前記配信料金を減額または無料にする。
【００１７】
また、本発明は、資金提供の申込を受け付ける場合に、前記配信申込受付手順により有料コンテンツの配信申込を受け付けた利用者に係る情報を出力する利用者情報出力手順をさらに含んだことを特徴とする。
【００１８】
この発明によれば、資金提供の申込を受け付ける場合に、有料コンテンツの配信申込を受け付けた利用者に係る情報を出力する。
【００１９】
また、本発明は、前記配信申込受付手順により配信申込を受け付ける有料コンテンツの追加希望を前記利用者から受け付けるコンテンツ追加受付手順をさらに含み、前記コンテンツ追加受付手順により受け付けられた有料コンテンツが追加された場合に、前記配信判定手順により該有料コンテンツの配信申込を利用者から受け付けることを特徴とする。
【００２０】
この発明によれば、配信申込を受け付ける有料コンテンツの追加希望を利用者から受け付け、受け付けられた有料コンテンツが追加された場合に、有料コンテンツの配信申込を利用者から受け付ける。
【００２１】
また、本発明は、有料コンテンツの利用者への配信を管理するコンテンツ配信管理方法であって、前記利用者による有料コンテンツの配信申込を一度に単数または複数口受け付ける配信申込受付工程と、前記配信申込受付工程により受け付けられた申込口数が所定の口数に達したかどうかを調べることにより番組を配信するかどうかを判定する配信判定工程と、を含んだことを特徴とする。
【００２２】
この発明によれば、各利用者による有料コンテンツの配信申込を単数または複数口受け付け、受け付けられた申込口数が所定の口数に達したかどうかを調べることにより番組を配信するかどうかを判定する。
【００２３】
また、本発明は、前記配信申込受付工程により受け付けられた申込口数に基づいて、前記有料コンテンツの配信料金を決定する配信料金決定工程をさらに含んだことを特徴とする。
【００２４】
この発明によれば、受け付けられた申込口数に基づいて、各利用者に課する有料コンテンツの配信料金を決定する。
【００２５】
また、本発明によれば、有料コンテンツの利用者への配信を管理するコンテンツ配信管理装置であって、前記利用者による有料コンテンツの配信申込を一度に単数または複数口受け付ける配信申込受付手段と、前記配信申込受付手段により受け付けられた申込口数が所定の口数に達したかどうかを調べることにより番組を配信するかどうかを判定する配信判定手段と、を備えたことを特徴とする。
【００２６】
この発明によれば、各利用者による有料コンテンツの配信申込を単数または複数口受け付け、受け付けられた申込口数が所定の口数に達したかどうかを調べることにより番組を配信するかどうかを判定する。
【００２７】
また、本発明によれば、前記配信申込受付手段により受け付けられた申込口数に基づいて、前記有料コンテンツの配信料金を決定する配信料金決定手段をさらに備えたことを特徴とする。
【００２８】
この発明によれば、受け付けられた申込口数に基づいて、各利用者に課する有料コンテンツの配信料金を決定する。
【発明の効果】
【００２９】
本発明によれば、各利用者による有料コンテンツの配信申込を単数または複数口受け付け、受け付けられた申込口数が所定の口数に達したかどうかを調べることにより番組を配信するかどうかを判定することとしたので、有料コンテンツの配信を希望する利用者が少数であっても、配信を強く望む利用者にはその有料コンテンツの配信を確実に実現する手段を付与して、利用者に対するサービス向上を図ることができるという効果を奏する。
【００３０】
また、本発明によれば、受け付けられた申込口数に基づいて、各利用者に課する有料コンテンツの配信料金を決定することとしたので、申込口数に応じて利用者ごとに異なる配信料金を設定することができ、利用者にきめの細かい対応ができるとともに、有料コンテンツの配信を希望する利用者が少数であっても、配信を強く望む利用者にはその有料コンテンツの配信を確実に実現する手段を付与して、利用者に対するサービス向上を図ることができるという効果を奏する。
【００３１】
また、本発明によれば、配信料金は、有料コンテンツごとにあらかじめ定められた金額を申込口数で等分した金額とすることとしたので、申込口数が多くなるほど配信料金が安くすることができるとともに、有料コンテンツの配信を希望する利用者が少数であっても、配信を強く望む利用者にはその有料コンテンツの配信を確実に実現する手段を付与して、利用者に対するサービス向上を図ることができるという効果を奏する。
【００３２】
また、本発明によれば、資金提供の申込を受け付けた場合に、資金の提供金額に基づいて前記配信料金を減額または無料にすることとしたので、資金提供を受け付けて配信料金を安くすることができるとともに、有料コンテンツの配信を希望する利用者が少数であっても、配信を強く望む利用者にはその有料コンテンツの配信を確実に実現する手段を付与して、利用者に対するサービス向上を図ることができるという効果を奏する。
【００３３】
また、本発明によれば、資金提供の申込を受け付ける場合に、有料コンテンツの配信申込を受け付けた利用者に係る情報を出力することとしたので、資金提供の申込者は利用者の情報を取得して資金提供をおこなうべきかを判定することができるとともに、有料コンテンツの配信を希望する利用者が少数であっても、配信を強く望む利用者にはその有料コンテンツの配信を確実に実現する手段を付与して、利用者に対するサービス向上を図ることができるという効果を奏する。
【００３４】
また、本発明によれば、配信申込を受け付ける有料コンテンツの追加希望を利用者から受け付け、受け付けられた有料コンテンツが追加された場合に、有料コンテンツの配信申込を利用者から受け付けることとしたので、利用者の希望に基づいて新たな有料コンテンツを追加していくことができるとともに、有料コンテンツの配信を希望する利用者が少数であっても、配信を強く望む利用者にはその有料コンテンツの配信を確実に実現する手段を付与して、利用者に対するサービス向上を図ることができるという効果を奏する。
【発明を実施するための最良の形態】
【００３５】
以下に添付図面を参照して、この発明に係るコンテンツ配信管理装置、コンテンツ配信管理方法およびコンテンツ配信管理プログラムの好適な実施の形態を詳細に説明する。なお、本実施の形態では、利用者に番組コンテンツをインターネット上のストリーミング技術を利用して配信するコンテンツ配信管理システムに本発明を適用した場合を示すこととする。
【実施例】
【００３６】
まず、本実施例に係るコンテンツ配信管理システムの構成について説明する。図１は、本実施例に係るコンテンツ配信管理システムの構成を示す機能ブロック図である。同図に示すように、このコンテンツ配信管理システムは、各利用者端末装置１０ａ〜１０ｃとコンテンツ配信管理装置１２とがインターネット１１を介して接続された構成となる。
【００３７】
利用者端末装置１０ａ〜１０ｃは、ＷＷＷ（Ｗｏｒｌｄ  Ｗｉｄｅ  Ｗｅｂ）ブラウザを搭載した端末装置であり、インターネットプロバイダなどを介してインターネット上の各種サーバ装置にアクセスできる。利用者は、この利用者端末装置１０ａ〜１０ｃを操作して、コンテンツ配信管理装置１２に番組コンテンツの配信申込みをおこなったり、番組に対して資金提供をするためにスポンサー申込みをおこなったりすることができる。
【００３８】
コンテンツ配信管理装置１２は、本発明に係る装置であり、利用者が利用者端末装置１０ａ〜１０ｃを操作しておこなった番組コンテンツの配信申込みを受け付け、利用者端末装置１０ａ〜１０ｃにさまざまな番組コンテンツの配信をおこなうサーバ装置である。
【００３９】
コンテンツ配信管理装置１２は、たとえば、番組コンテンツを配信する配信者により委託され、サーバ装置の保守・運用サービスを提供するＩＤＣ（Ｉｎｔｅｒｎｅｔ  Ｄａｔａ  Ｃｅｎｔｅｒ）などに設置される。
【００４０】
このコンテンツ配信管理装置１２は、単に、番組コンテンツの配信申込みを受け付けるだけでなく、配信申込みを口数で受け付け、受け付けた口数の合計が番組コンテンツごとに定められた口数に達した場合に、その番組コンテンツの配信をおこなう。
【００４１】
このように、利用者は、口数が一定口数に達しさえすれば、希望する番組の配信がおこなわれるので、是非視聴したい番組があるような場合には、複数口申し込むなどして自ら配信を確実なものとすることができる。また、申込み口数が増加するほど利用者に課金する料金を安くすることにより、利用者に対するサービスをさらに向上させることができる。
【００４２】
図１に示すように、このコンテンツ配信管理装置１２は、インターフェース部１２０、入力部１２１、表示部１２２、記憶部１２３および制御部１２４を有する。インターフェース部１２０は、インターネット１１を介して利用者端末装置１０ａ〜１０ｃとデータの授受をおこなうネットワークインターフェースである。
【００４３】
入力部１２１は、キーボードやマウスなどの入力デバイスであり、表示部１２２は、ディスプレイなどの表示デバイスである。記憶部１２３は、ハードディスク装置などの記憶デバイスであり、この記憶部１２３には、ハイパーテキスト１２３ａ、番組コンテンツ１２３ｂ、利用者情報１２３ｃ、番組情報１２３ｄ、利用者申込情報１２３ｅ、番組申込情報１２３ｆ、スポンサー情報１２３ｇが記憶されている。
【００４４】
ハイパーテキスト１２３ａは、利用者端末装置１０ａ〜１０ｃに送信され、Ｗｅｂブラウザ上にウィンドウ画面を形成するハイパーテキストであり、番組コンテンツ１２３ｂは、利用者端末装置１０ａ〜１０ｃに配信される番組コンテンツのデータである。
【００４５】
利用者情報１２３ｃは、このコンテンツ配信サービスを利用する利用者の個人情報を記憶したデータである。図２は、図１に示した利用者情報１２３ｃの一例を示す図である。同図に示すように、この利用者情報１２３ｃは、利用者ＩＤ番号、氏名、住所、年齢、性別、電話番号、メールアドレスおよびログインパスワードの各項目を有する。
【００４６】
利用者ＩＤ番号は、各利用者を一意に識別する識別番号である。また、ログインパスワードは、コンテンツ配信管理装置１２にログインする際に入力するパスワードである。
【００４７】
番組情報１２３ｄは、コンテンツ配信サービスに登録されている番組の情報を記憶したデータである。図３は、図１に示した番組情報１２３ｄの一例を示す図である。同図に示すように、この番組情報１２３ｄは、番組ＩＤ番号、番組名、配信日時、配信状態フラグ、収録時間およびリクエスト数の各項目を有する。
【００４８】
番組ＩＤ番号は、各番組を一意に識別する識別番号である。番組名は、各番組のタイトルであり、配信日時は、各番組が利用者に一斉配信される日時である。配信状態フラグは、その番組がすでに配信されたかどうか、あるいは配信が中止になったかどうかの状態を示すフラグである。収録時間は、番組コンテンツの収録時間であり、リクエスト数は、配信申込みを募集している番組のリストに、当該番組を追加するよう利用者から受け付けたリクエストの数である。
【００４９】
利用者申込情報１２３ｅは、利用者がおこなった番組配信の申込みに係る情報を記憶したデータである。図４は、図１に示した利用者申込情報１２３ｅの一例を示す図である。同図に示すように、この利用者申込情報１２３ｅは、利用者ＩＤ番号、申込番組ＩＤ番号、申込口数および料金支払方法の各項目を有する。
【００５０】
利用者ＩＤ番号は、配信申込みをおこなった利用者のＩＤ番号であり、申込番組ＩＤ番号は、その利用者により配信申込みがなされた番組のＩＤ番号である。申込み口数は、その利用者が配信を申し込んだ口数である。料金支払方法は、利用者により選択された配信料金の支払方法である。
【００５１】
ここで、各利用者は、同一の番組に複数口申し込むことができる。また、利用者は、複数の番組に対して配信申込みをおこなうことができる。さらに、利用者は、各申込みに対して異なる料金の支払方法を選択することが可能である。
【００５２】
番組申込情報１２３ｆは、利用者から受け付けた各番組の配信申込みの状況を記憶したデータである。図５は、図１に示した番組申込情報１２３ｆの一例を示す図である。同図に示すように、この番組申込情報１２３ｆは、番組ＩＤ番号、申込締切日、配信可能最少口数、初期配信料金、配信申込口数および配信料金の各項目を有する。
【００５３】
番組ＩＤ番号は、各番組を識別するＩＤ番号であり、申込締切日は、利用者からの配信申込みの受け付けを締め切る締切日である。配信可能最少口数は、番組コンテンツの配信者により設定された、番組配信をおこなうために必要な最少の申込口数である。初期配信料金は、その配信者により同じく設定された、各利用者に課金する番組コンテンツの割り引き前の配信料金である。
【００５４】
ここで、この配信可能最少口数と初期配信料金とは、配信者の番組配信にかかるコストや利益分を考慮して設定されたものである。具体的には、番組の配信がなされる場合に配信者が少なくとも期待できる収入は、
[式１]
（配信者の最少収入期待額）＝（配信可能最少口数）×（初期配信料金）
となる。
【００５５】
配信者は、この最少収入期待額を配信コストや利益分に見合う額に設定し、配信可能最少口数および初期配信料金をそれぞれ決定することで、配信がなされた場合に利益を確保することができる。
【００５６】
配信申込口数は、利用者により配信申込がなされた口数を合計したものである。配信料金は、申込口数が配信可能最少口数を越えた場合における割り引き後の配信料金である。この配信料金は、
[式２]
（配信料金）＝（配信可能最少口数）×（初期配信料金）÷（配信申込口数）
により計算される。
【００５７】
すなわち、配信申込口数が配信可能最少口数を越えると、配信料金の割引が式２にしたがってなされることになる。これにより、口数が増加するほど、一口あたりの配信料金が安くなり、利用者は割引の恩恵を受けることができる。なお、申込口数が配信可能最少口数を越えていない場合には、配信料金は、初期配信料金と同一金額となる。
【００５８】
なお、申込締切日が過ぎた後に、利用者から配信の申込みを受け付けた場合には、その利用者に課金する配信料金は、申込締切日における配信申込口数で計算された配信料金と同額なる。そのため、申込締切日が過ぎた後に配信申込みをおこなった利用者も、割引の恩恵を享受することができる。
【００５９】
また、番組に資金提供をおこなうスポンサーがいる場合には、配信料金はさらに安く設定される。すなわち、
[式３]
（配信料金）
＝｛（配信可能最少口数）×（初期配信料金）−（スポンサーの資金提供金額）｝
÷（配信申込口数）
により配信料金が決定される。
【００６０】
たとえば、図５において、番組ＩＤ番号が「３４５６８０」である番組には、スポンサーが２０万円の資金提供をおこなっている。そのため、式３により、この場合の利用者の配信料金は、
（配信料金）＝（１００口×３，０００円−２０万円）÷１１２口＝８９３円
と算出される。
【００６１】
スポンサー情報１２３ｇは、資金提供の申込みを受け付けたスポンサーにかかわる情報を記憶したデータである。図６は、図１に示したスポンサー情報１２３ｇの一例を示す図である。このスポンサー情報１２３ｇは、番組ＩＤ番号、申込利用者ＩＤ番号、スポンサー名、スポンサー資金提供額の各項目を有する。
【００６２】
番組ＩＤ番号は、資金提供がなされた番組を識別する識別番号であり、申込利用者ＩＤ番号は、資金提供をおこなった利用者を識別する識別番号である。スポンサー名は、資金提供をおこなった利用者の属する団体などの名称であり、スポンサー提供資金額は、その番組に提供した資金の額である。利用者が、資金を提供した場合には、配信される番組コンテンツの中に、提供する金額に応じた時間で宣伝広告を挿入することができる。
【００６３】
図１の説明に戻ると、制御部は、このコンテンツ配信管理装置１２を全体制御する制御部であり、サーバ処理部１２４ａ、コンテンツ追加受付部１２４ｂ、配信申込受付部１２４ｃ、配信判定部１２４ｄ、料金決定部１２４ｅおよびスポンサー申込受付部１２４ｆを有する。
【００６４】
サーバ処理部１２４ａは、利用者端末装置１０ａ〜１０ｃに対して番組コンテンツを配信する機能を提供するための処理部である。具体的には、利用者端末装置１０ａ〜１０ｃから利用者のログインを受け付け、記憶部１２３に記憶されたハイパーテキスト１２３ａを送信したり、番組コンテンツ１２３ｂを配信したりする処理をおこなう。
【００６５】
コンテンツ追加受付部１２４ｂは、配信申込みを募集している番組のリストに利用者の希望する番組がない場合に、利用者から新たに追加する番組の要望を受け付ける受付部である。たとえば、利用者は、番組コンテンツの配信者に対して、追加して欲しい番組コンテンツの内容を指示することができる。配信者は、その指示に基づいて、経済性などの評価をおこない、その番組コンテンツを新たに制作するか、既成の番組コンテンツを入手するなどした後、番組コンテンツ１２３ｂおよび番組情報１２３ｄにその番組コンテンツのデータを追加する。
【００６６】
配信申込受付部１２４ｃは、利用者が利用者端末装置１０ａ〜１０ｃを操作しておこなった番組コンテンツの配信申込みを受け付ける受付部である。具体的には、利用者からの配信を希望する番組コンテンツの指定と申込口数とを受け付け、利用者申込情報１２３ｅおよび番組申込情報１２３ｆの更新をおこなう。
【００６７】
また、配信申込受付部１２４ｃは、ある番組コンテンツに対する同一利用者からの申込口数の追加を何回でも受け付ける。そのため、その利用者は、申込口数が少ないため、番組配信まで至らない可能性がある
と判断した場合には、番組コンテンツの配信を実現するために、申込口数を後で追加することができるようになる。
【００６８】
配信判定部１２４ｄは、申込締切日が過ぎた場合に、各利用者から受け付けた配信申込みの口数の合計に基づいて、番組の配信をおこなうかどうかを判定する判定部である。具体的には、各利用者から申し込まれた申込口数の合計が番組コンテンツごとに定められた配信可能最少口数に達したかどうかを調べ、達した場合にその番組コンテンツを配信することを決定する。
【００６９】
番組コンテンツの配信が決定された場合は、その旨を利用者に通知する電子メールを各利用者端末装置１０ａ〜１０ｃに送信する処理をおこなう。さらにその電子メールは、配信料金の情報や配信料金の支払方法の情報なども含んでいる。また、支払方法に応じて郵便局の料金振込申込用紙などが添付され、それを印刷して支払いの際に使用することができる。
【００７０】
料金決定部１２４ｅは、配信申込みの口数の合計に応じて番組コンテンツの配信料金を決定する決定部である。具体的には、申込口数の合計が番組コンテンツごとに定められた配信可能最少口数に達した場合に、式２または式３により配信料金が決定される。
【００７１】
スポンサー申込受付部１２４ｆは、利用者が利用者端末装置１０ａ〜１０ｃを操作しておこなった資金を提供するスポンサーの申込みを受け付ける受付部である。具体的には、利用者からのスポンサーになる番組の指定と提供する資金の金額の情報を受け付け、料金決定部１２４ｅに配信料金の再計算を要求するとともに、スポンサー情報１２３ｇの更新をおこなう。
【００７２】
スポンサーの申込み受付は、利用者の配信申込みを受け付ける以前におこなわれるだけでなく、配信申込みを受け付けている間にもおこなわれる。そして、スポンサー申込受付部１２４ｆは、配信申込みを受け付けた利用者の年齢構成や性別などの情報をスポンサーになることを検討している利用者に提供する。
【００７３】
そのため、スポンサーの希望者は、配信申込みをおこなった利用者の情報を入手することにより、この番組のスポンサーになることで宣伝活動を効果的におこなうことができるかどうかを事前に判定できるという利点が生じる。
【００７４】
つぎに、本実施例に係るコンテンツ配信管理装置１２がおこなう申込受付処理の処理手順について説明する。図７は、本実施例に係るコンテンツ配信管理装置１２がおこなう申込受付処理の処理手順を示すフローチャートである。
【００７５】
同図に示すように、まず、このコンテンツ配信管理装置１２のサーバ処理部１２４ａは、利用者が利用者端末装置１０ａ〜１０ｃを操作しておこなったログイン処理を実行し、ログインを受け付ける（ステップＳ７０１）。そして、サーバ処理部１２４ａは、配信申込みを募集している番組の一覧を利用者端末装置１０ａ〜１０ｃに出力する（ステップＳ７０２）。
【００７６】
その後、配信申込受付部１２４ｃおよびスポンサー申込受付部１２４ｆは、スポンサーまたは番組配信の申込みを待ち受け（ステップＳ７０３）、スポンサーの申込みがあった場合には（ステップＳ７０４，Ｙｅｓ）、スポンサー申込受付部１２４ｆは、スポンサー申込み受付処理を実行する（ステップＳ７０５）。このスポンサー申込み受付処理については後に詳しく説明する。スポンサーの申込みがなかった場合には（ステップＳ７０４，Ｎｏ）、そのままステップＳ７０６に移行する。
【００７７】
ステップＳ７０３において、番組配信の申込みがあった場合には（ステップＳ７０６，Ｙｅｓ）、配信申込受付部１２４ｃは、番組配信申込み受付処理を実行する。この番組配信申込み受付処理についても後に詳しく説明することとする。番組配信の申込みがなかった場合には（ステップＳ７０６，Ｎｏ）、スポンサーまたは番組配信の申込みを再度待ち受ける（ステップＳ７０３）。
【００７８】
そして、サーバ処理部１２４ａは、利用者からログオフ要求があったかどうかを調べ（ステップＳ７０８）、ログオフ要求があった場合には（ステップＳ７０８，Ｙｅｓ）、利用者のログオフ処理を実行し（ステップＳ７０９）、処理を終了する。ログオフ要求がなかった場合には（ステップＳ７０８，Ｎｏ）、スポンサーまたは番組配信の申込みを再度待ち受ける（ステップＳ７０３）。
【００７９】
つぎに、図７に示したスポンサー申込み受付処理の処理手順について説明する。図８は、図７に示したスポンサー申込み受付処理の処理手順を示すフローチャートである。同図に示すように、まず、スポンサー受付処理部１２４ｆは、利用者からスポンサーになる番組の指定を受け付ける（ステップＳ８０１）。
【００８０】
そして、指定された番組の配信申込者の情報を利用者端末装置１０ａ〜１０ｃに出力する（ステップＳ８０２）。配信申込者の情報は、その番組にすでに配信申込みをおこなった利用者の年齢構成や性別などの情報である。
【００８１】
その後、スポンサー受付処理部１２４ｆは、利用者からスポンサーの申込みを確定する要求があったかどうかを調べ（ステップＳ８０３）、申込みを確定する要求がなかった場合には（ステップＳ８０３，Ｎｏ）、そのまま処理を終了する。申込みを確定する要求があった場合には（ステップＳ８０３，Ｙｅｓ）、スポンサーとなる利用者が提供する資金の金額の情報を受け付ける（ステップＳ８０４）。
【００８２】
そして、スポンサー受付処理部１２４ｆは、その金額の情報をもとに、料金決定部１２４ｅに番組コンテンツの配信料金の再計算を要求し、番組申込情報１２３ｆの配信料金およびスポンサー情報１２３ｇのデータ更新をおこなう（ステップＳ８０５）。
【００８３】
つぎに、図７に示した番組配信申込み受付処理の処理手順について説明する。図９は、図７に示した番組配信申込み受付処理の処理手順を示すフローチャートである。同図に示すように、まず、配信申込受付部１２４ｃは、利用者から配信を申し込む番組、申込口数および料金の支払方法の指定を受け付ける（ステップＳ９０１）。
【００８４】
つづいて、配信申込受付部１２４ｃは、その番組の申込締切日の情報を番組申込情報１２３ｆから取得し（ステップＳ９０２）、その番組の申込締切日がすでに過ぎているかどうかを調べる（ステップＳ９０３）。
【００８５】
申込締切日が過ぎている場合には（ステップＳ９０３，Ｙｅｓ）、ステップＳ９０７に移行する。申込締切日がまだ過ぎていない場合には（ステップＳ９０３，Ｎｏ）、配信申込受付部１２４ｃは、番組申込情報１２３ｆの配信申込口数の情報を更新する(ステップＳ９０４)。その後、料金決定部１２４ｅは、配信申込口数が配信可能最少人数以上であるかどうかを調べる（ステップＳ９０５）。
【００８６】
そして、配信可能最少人数以上である場合には（ステップＳ９０５，Ｙｅｓ）、料金決定部１２４ｅは、配信申込口数に応じて割り引かれた配信料金を算出し、番組申込情報１２３ｆに記憶する（ステップＳ９０６）。その後、配信申込受付部１２４ｃは、ステップＳ９０１で受け付けた利用者の申込み情報を利用者申込情報１２３ｅに追加・更新し（ステップＳ９０７）、処理を終了する。
【００８７】
一方、配信申込口数が配信可能最少人数以上でない場合には（ステップＳ９０５，Ｎｏ）、配信申込受付部１２４ｃは、ステップＳ９０７の処理を実行した後、処理を終了する。
【００８８】
つぎに、図１に示したコンテンツ配信管理装置１２がおこなう配信判定処理の処理手順について説明する。図１０は、図１に示したコンテンツ配信管理装置１２がおこなう配信判定処理の処理手順を示す図である。この処理は、コンテンツ配信管理装置１２に内蔵されたカレンダーにおいて、日にちが切り替わった場合などにおこなわれる。
【００８９】
同図に示すように、まず、コンテンツ配信管理装置１２の配信判定部１２４ｄは、番組申込情報１２３ｆから申込締切日の情報を取得し（ステップＳ１００１）、申込締切日が過ぎたかどうかを調べる（ステップＳ１００２）。
【００９０】
そして、申込締切日がまだ過ぎていない場合には（ステップＳ１００２，Ｎｏ）、そのまま処理を終了する。申込締切日が過ぎた場合には（ステップＳ１００２，Ｙｅｓ）、配信判定部１２４ｄは、配信申込口数が配信可能最少人数以上であるかどうかを調べる（ステップＳ１００３）。
【００９１】
そして、配信可能最少人数以上である場合には（ステップＳ１００３，Ｙｅｓ）、配信判定部１２４ｄは、配信料金を確定し（ステップＳ１００４）、利用者申込情報１２３ｅから料金支払方法の情報を取得する（ステップＳ１００５）。
【００９２】
その後、配信判定部１２４ｄは、配信料金および料金支払方法を通知する電子メールを配信を申し込んだ利用者の利用者端末装置１０ａ〜１０ｃに送信する処理をおこない（ステップＳ１００６）、処理を終了する。
【００９３】
一方、配信申込口数が配信可能最少人数以上でない場合には（ステップＳ１００３，Ｎｏ）、番組情報１２３ｄの配信状態フラグを配信中止に設定し（ステップＳ１００７）、その番組に配信申込みをおこなった利用者の利用者端末装置１０ａ〜１０ｃに配信中止を通知する電子メールを送信し（ステップＳ１００８）、処理を終了する。ここで、配信が中止された場合には、利用者に対する課金はおこなわない。
【００９４】
つぎに、図１に示したコンテンツ配信管理装置１２が出力する表示画面について説明する。図１１は、図１に示したコンテンツ配信管理装置１２が出力する表示画面の一例を示す図である。同図に示すように、この表示画面には、番組募集の項目と配信申込み・スポンサー募集の項目とが表示されている。
【００９５】
番組募集の項目は、配信申込みを募集する番組リストに新たな番組を追加するよう利用者がリクエストするためのものである。利用者は、リクエストボタン１１０をクリックすることにより、番組リストへの追加を希望する番組の番組名や番組の内容などを入力する画面を表示させることができ、配信者側にそれらの情報を通知することができる。
【００９６】
配信申込み・スポンサー募集の項目は、利用者から番組コンテンツの配信申込みを申込み口数の入力とともに受け付けたり、スポンサーの申込みを資金提供金額の入力とともに受け付けたりするためのものである。
【００９７】
利用者が番組コンテンツの配信申込みをおこなう場合には、まず、番組リスト１１１の中から希望する番組コンテンツを、チェックボックス１１１ａまたは１１１ｂをクリックしてチェックすることにより選択する。そして、申込口数を口数フィールド１１２に入力し、配信申し込みボタン１１３をクリックすることにより配信申込みをおこなうことができる。
【００９８】
また、利用者がスポンサーの申込みをおこなう場合には、配信申込みのときと同様に、まず、番組リスト１１１の中からスポンサーになりたい番組を、チェックボックス１１１ａまたは１１１ｂをクリックしてチェックすることにより選択する。そして、その番組への提供金額を金額フィールド１１４に入力し、スポンサー申し込みボタン１１５をクリックすることによりスポンサーの申し込みをおこなうことができる。
【００９９】
さらに、利用者がチェックボックス１１１ａまたは１１１ｂをチェックした際には、コンテンツ配信管理装置１２は、その番組コンテンツの配信申込みをおこなった利用者の年齢構成や性別などの利用者情報を出力する。利用者は、この情報を参照することにより、スポンサーになることにより宣伝活動が効果的におこなえるかどうかを判定することができる。
【０１００】
図１２は、コンテンツ配信管理装置１２が出力する配信申込者情報の一例を示す図である。同図に示すように、コンテンツ配信管理装置１２は、図１１に示した表示画面において、番組リスト１１１のチェックボックス１１１ａまたは１１１ｂがチェックされた場合に、チェックされた番組に配信申込みをおこなった利用者の年齢構成および性別の情報を出力する処理をおこなう。
【０１０１】
図１３は、コンテンツ配信管理装置１２が送信する配信中止電子メールの一例を示す図である。この電子メールは、配信申込締切日までに、配信申込口数が配信可能最少口数に達せず、番組コンテンツの配信が中止になった場合に、その番組コンテンツの配信申込をおこなった利用者に対して送信されるものである。
【０１０２】
図１４は、コンテンツ配信管理装置１２が送信する配信決定電子メールの一例を示す図である。この電子メールは、配信申込締切日までに、配信申込口数が配信可能最少口数に達し、番組コンテンツの配信が決定された場合に、その番組コンテンツの配信申込をおこなった利用者に対して送信されるものである。この電子メールには、配信料金の支払方法に応じて、料金の支払申込用紙などの必要書類がさらに添付される。
【０１０３】
ところで、上述のコンテンツ配信管理装置１２およびコンテンツ配信管理方法は、あらかじめ用意されたプログラムをパーソナル・コンピュータやワークステーションなどのコンピュータシステムで実行することによって実現することができる。そこで、上述したコンテンツ配信管理装置１２（コンテンツ配信管理方法）と同様の機能を有するコンテンツ配信管理プログラムを実行するコンピュータシステムについて説明する。
【０１０４】
図１５は、本実施例に係るコンピュータシステムの構成を示すシステム構成図であり、図１６は、図１５に示したコンピュータシステムにおける本体部の構成を示すブロック図である。
【０１０５】
図１５に示すように、本実施例に係るコンピュータシステム２００は、本体部２０１と、本体部２０１からの指示によって表示画面２０２ａに画像などの情報を表示するためのディスプレイ２０２と、このコンピュータシステム２００に種々の情報を入力するためのキーボード２０３と、ディスプレイ２０２の表示画面２０２ａ上の任意の位置を指定するためのマウス２０４とを備える。
【０１０６】
また、このコンピュータシステム２００における本体部２０１は、図１６に示すように、ＣＰＵ２２１、ＲＡＭ２２２、ＲＯＭ２２３、ハードディスクドライブ（ＨＤＤ）２２４、ＣＤ−ＲＯＭ２０９を受け入れるＣＤ−ＲＯＭドライブ２２５、フレキシブルディスク（ＦＤ）２０８を受け入れるＦＤドライブ２２６、ディスプレイ２０２、キーボード２０３ならびにマウス２０４を接続するＩ／Ｏインターフェース２２７、ローカルエリアネットワークまたはワイドエリアネットワーク（ＬＡＮ／ＷＡＮ）２０６に接続するＬＡＮインターフェース２２８を備える。
【０１０７】
さらに、このコンピュータシステム２００には、インターネットなどの公衆回線２０７に接続するためのモデム２０５が接続されるとともに、ＬＡＮインターフェース２２８およびＬＡＮ／ＷＡＮ２０６を介して、他のコンピュータシステム（ＰＣ）２１１、サーバ２１２並びにプリンタ２１３などが接続される。
【０１０８】
そして、このコンピュータシステム２００は、所定の記録媒体に記録されたコンテンツ配信管理プログラムを読み出して実行することでコンテンツ配信管理装置１２（コンテンツ配信管理方法）を実現する。
【０１０９】
ここで、所定の記録媒体とは、フレキシブルディスク（ＦＤ）２０８、ＣＤ−ＲＯＭ２０９、ＭＯディスク、ＤＶＤディスク、光磁気ディスク、ＩＣカードなどの「可搬用の物理媒体」の他に、コンピュータシステム２００の内外に備えられるハードディスクドライブ（ＨＤＤ）２２４や、ＲＡＭ２２２、ＲＯＭ２２３などの「固定用の物理媒体」、さらに、モデム２０５を介して接続される公衆回線２０７や、他のコンピュータシステム２１１ならびにサーバ２１２が接続されるＬＡＮ／ＷＡＮ２０６などのように、プログラムの送信に際して短期にプログラムを保持する「通信媒体」など、コンピュータシステム２００によって読み取り可能なコンテンツ配信管理プログラムを記録する、あらゆる記録媒体を含むものである。
【０１１０】
すなわち、コンテンツ配信管理プログラムは、上記した「可搬用の物理媒体」、「固定用の物理媒体」、「通信媒体」などの記録媒体に、コンピュータ読み取り可能に記録されるものであり、コンピュータシステム２００は、このような記録媒体からコンテンツ配信管理プログラムを読み出して実行することで、コンテンツ配信管理装置１２およびコンテンツ配信管理方法を実現する。
【０１１１】
なお、コンテンツ配信管理プログラムは、コンピュータシステム２００によって実行されることに限定されるものではなく、他のコンピュータシステム２１１またはサーバ２１２がコンテンツ配信管理プログラムを実行する場合や、これらが協働してコンテンツ配信管理プログラムを実行するような場合にも、本発明を同様に適用することができる。
【０１１２】
以上説明してきたように、本実施例では、配信申込受付部１２４ｃが、利用者端末装置１０ａ〜１０ｃから番組コンテンツの配信申込みを申込口数の情報とともに受け付け、配信判定部１２４ｄが、受け付けた申込口数の合計が番組コンテンツごとに定められた配信可能最少口数に達した場合に、その番組コンテンツを配信することを決定することとしたので、有料コンテンツの配信を希望する利用者が少数であっても、配信を強く望む利用者が複数口の申込みをおこなうことができるようにすることで、その有料コンテンツの配信を確実に実現することが可能となり、利用者のサービス向上を図ることができる。
【０１１３】
さて、これまで本発明の実施の形態について説明したが、本発明は上述した実施例以外にも、上記特許請求の範囲に記載した技術的思想の範囲内において種々の異なる実施例にて実施されてもよいものである。
【０１１４】
例えば、本実施の形態では、利用者に番組コンテンツをインターネット上のストリーミング技術を利用して配信することとしたが、本発明はこれに限定されるものではなく、番組コンテンツを有線放送あるいは衛星放送により配信することとしてもよい。
【０１１５】
また、本実施の形態では、割り引きされた配信料金を番組コンテンツの申込口数に基づいて、式２または式３により計算することとしているが、それに限定されず、他の計算式により計算することとしてもよい。
【０１１６】
また、本実施の形態では、スポンサーになることを希望している利用者に、配信申込みをおこなった利用者の年齢構成や性別の情報を提供することとしたが、本発明はこれに限定されるものではなく、配信申込みをおこなった利用者の嗜好、職業、年収などのさまざまな情報を提供することとしてもよい。
【０１１７】
また、本実施の形態では、配信する番組コンテンツをコンテンツ配信管理装置に記憶し、利用者に配信することとしたが、本発明はこれに限定されるものではなく、番組コンテンツのデータをコンテンツ配信管理装置以外の記憶装置に記憶し、その記憶装置とコンテンツ配信管理装置との間でネットワークを介してデータを授受することとしてもよい。
【０１１８】
番組コンテンツを記憶する記憶装置は、たとえば、番組を制作するテレビ局などに設置される。そして、コンテンツ配信管理装置は、番組コンテンツをテレビ局に設置された記憶装置から読み出して、利用者に配信する処理をおこなう。
【０１１９】
また、本実施の形態において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１２０】
また、図示した各装置の各構成要素は機能概念的なものであり、必ずしも物理的に図示した通りに構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１２１】
さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１２２】
（付記１）有料コンテンツの利用者への配信を管理するコンテンツ配信管理プログラムであって、
各利用者による有料コンテンツの配信申込を単数または複数口受け付ける配信申込受付手順と、
前記配信申込受付手順により受け付けられた申込口数が所定の口数に達したかどうかを調べることにより番組を配信するかどうかを判定する配信判定手順と、
をコンピュータに実行させることを特徴とするコンテンツ配信管理プログラム。
【０１２３】
（付記２）前記配信申込受付手順により受け付けられた申込口数に基づいて、各利用者に課する有料コンテンツの配信料金を決定する配信料金決定手順をさらに含んだことを特徴とする付記１に記載のコンテンツ配信管理プログラム。
【０１２４】
（付記３）前記配信料金は、有料コンテンツごとにあらかじめ定められた金額を申込口数で等分した金額であることを特徴とする付記２に記載のコンテンツ配信管理プログラム。
【０１２５】
（付記４）前記配信料金決定手順は、資金提供の申込を受け付けた場合に、該資金の提供金額に基づいて前記配信料金を減額または無料にすることを特徴とする付記２または３に記載のコンテンツ配信管理プログラム。
【０１２６】
（付記５）資金提供の申込を受け付ける場合に、前記配信申込受付手順により有料コンテンツの配信申込を受け付けた利用者に係る情報を出力する利用者情報出力手順をさらに含んだことを特徴とする付記４に記載のコンテンツ配信管理プログラム。
【０１２７】
（付記６）前記配信申込受付手順により配信申込を受け付ける有料コンテンツの追加希望を利用者から受け付けるコンテンツ追加受付手順をさらに含み、前記コンテンツ追加受付手順により受け付けられた有料コンテンツが追加された場合に、前記配信判定手順により該有料コンテンツの配信申込を利用者から受け付けることを特徴とする付記１〜５のいずれか一つに記載のコンテンツ配信管理プログラム。
【０１２８】
（付記７）有料コンテンツの利用者への配信を管理するコンテンツ配信管理方法であって、
前記利用者による有料コンテンツの配信申込を一度に単数または複数口受け付ける配信申込受付工程と、
前記配信申込受付工程により受け付けられた申込口数が所定の口数に達したかどうかを調べることにより番組を配信するかどうかを判定する配信判定工程と、
を含んだことを特徴とするコンテンツ配信管理方法。
【０１２９】
（付記８）前記配信申込受付工程により受け付けられた申込口数に基づいて、各利用者に課する有料コンテンツの配信料金を決定する配信料金決定工程をさらに含んだことを特徴とする付記７に記載のコンテンツ配信管理方法。
【０１３０】
（付記９）有料コンテンツの利用者への配信を管理するコンテンツ配信管理装置であって、
前記利用者による有料コンテンツの配信申込を一度に単数または複数口受け付ける配信申込受付手段と、
前記配信申込受付手段により受け付けられた申込口数が所定の口数に達したかどうかを調べることにより番組を配信するかどうかを判定する配信判定手段と、
を備えたことを特徴とするコンテンツ配信管理装置。
【０１３１】
（付記１０）前記配信申込受付手段により受け付けられた申込口数に基づいて、各利用者に課する有料コンテンツの配信料金を決定する配信料金決定手段をさらに備えたことを特徴とする付記９に記載のコンテンツ配信管理装置。
【産業上の利用可能性】
【０１３２】
以上のように、本発明にかかるコンテンツ配信管理プログラムは、有料コンテンツの配信を希望する利用者が少数であっても、配信を強く望む利用者にはその有料コンテンツの配信を確実に実現する手段を付与して、利用者に対するサービス向上を図るコンテンツ配信管理システムに適している。
【図面の簡単な説明】
【０１３３】
【図１】本実施例に係るコンテンツ配信管理システムの構成を示す機能ブロック図である。
【図２】図１に示した利用者情報の一例を示す図である。
【図３】図１に示した番組情報の一例を示す図である。
【図４】図１に示した利用者申込情報の一例を示す図である。
【図５】図１に示した番組申込情報の一例を示す図である。
【図６】図１に示したスポンサー情報の一例を示す図である。
【図７】本実施例に係るコンテンツ配信管理装置がおこなう申込受付処理の処理手順を示すフローチャートである。
【図８】図７に示したスポンサー申込み受付処理の処理手順を示すフローチャートである。
【図９】図７に示した番組配信申込み受付処理の処理手順を示すフローチャートである。
【図１０】図１に示したコンテンツ配信管理装置がおこなう配信判定処理の処理手順を示す図である。
【図１１】図１に示したコンテンツ配信管理装置が出力する表示画面の一例を示す図である。
【図１２】コンテンツ配信管理装置が出力する配信申込者情報の一例を示す図である。
【図１３】コンテンツ配信管理装置が送信する配信中止電子メールの一例を示す図である。
【図１４】コンテンツ配信管理装置が送信する配信決定電子メールの一例を示す図である。
【図１５】本実施例に係るコンピュータシステムの構成を示すシステム構成図である。
【図１６】図１５に示したコンピュータシステムにおける本体部の構成を示すブロック図である。
【符号の説明】
【０１３４】
１０ａ〜１０ｃ    利用者端末装置
１１    インターネット
１１０    リクエストボタン
１１１    番組リスト
１１１ａ，１１１ｂ    チェックボックス
１１２    口数フィールド
１１３    配信申し込みボタン
１１４    金額フィールド
１１５    スポンサー申し込みボタン
１２    コンテンツ配信管理装置
１２０    インターフェース部
１２１    入力部
１２２    表示部
１２３    記憶部
１２３ａ    ハイパーテキスト
１２３ｂ    番組コンテンツ
１２３ｃ    利用者情報
１２３ｄ    番組情報
１２３ｅ    利用者申込情報
１２３ｆ    番組申込情報
１２３ｇ    スポンサー情報
１２４    制御部
１２４ａ    サーバ処理部
１２４ｂ    コンテンツ追加受付部
１２４ｃ    配信申込受付部
１２４ｄ    配信判定部
１２４ｅ    料金決定部
１２４ｆ    スポンサー申込受付部
【図１】
2005064967.tif 000003
【図２】
2005064967.tif 000004
【図３】
2005064967.tif 000005
【図４】
2005064967.tif 000006
【図５】
2005064967.tif 000007
【図６】
2005064967.tif 000008
【図７】
2005064967.tif 000009
【図８】
2005064967.tif 000010
【図９】
2005064967.tif 000011
【図１０】
2005064967.tif 000012
【図１１】
2005064967.tif 000013
【図１２】
2005064967.tif 000014
【図１３】
2005064967.tif 000015
【図１４】
2005064967.tif 000016
【図１５】
2005064967.tif 000017
【図１６】
2005064967.tif 000018